(57)【要約】【課題】  プレスブレーキ用安全装置２３の光軸調整の作業性を向上させる。【解決手段】  投光器２５又は受光器２７を上部テーブル１７に対して取付けるための取付機構２９は、上部テーブル１７に配設可能であってかつ上下方向へ延びたサポート部材３３と、サポート部材３３に上下方向へ移動可能に設けられかつ投光器２５又は受光器２７を装着可能な装着具４３を有したスライド部材４１と、サポート部材３３に設けられかつ上下方向へ延びたボールネジ４５と、ボールネジ４５に螺合して設けられかつスライド部材４１に連結したボールナット４９と、ボールネジ４５に接続可能な駆動軸７５を有した操作ハンドル７３とを備え、操作ハンドル７３は、駆動軸７５をボールネジ４５に接続した状態で、ボールネジ４５を回転可能な状態と回転不能な状態に切り替えるように構成されている。【選択図】  図１
2016128180.tif 000002
【特許請求の範囲】
【請求項１】
本体フレームの下部に設けられかつ上側に下部金型を保持する下部テーブルと、前記本体フレームの上部に前記下部テーブルに上下に対向して設けられかつ前記下部テーブルに対して相対的に上下方向へ移動可能であってかつ下側に上部金型を保持する上部テーブルとを備えたプレスブレーキに用いられ、前記上部金型と前記下部金型の間へのワーク以外の異物の進入又は接近を監視するためのプレスブレーキ用安全装置において、
前記上部テーブルの幅方向の一方側から他方側に向かって監視光を投光する投光器と、
前記投光器からの監視光を受光する受光器と、
前記上部テーブルの前記幅方向の両側にそれぞれ配設可能であって、前記投光器又は前記受光器を前記上部テーブルに対して取付けるための取付機構と、を具備し、
各取付機構は、
前記上部テーブルに配設可能であって、上下方向へ延びたサポート部材と、
前記サポート部材に上下方向へ移動可能に設けられ、前記投光器又は前記受光器を装着可能な装着部を有したスライド部材と、
前記サポート部材に設けられ、上下方向へ延びたネジ部材と、
前記ネジ部材に螺合して設けられ、前記スライド部材に連結したナット部材と、
前記ネジ部材に接続可能な駆動軸を有し、前記駆動軸を前記ネジ部材に接続した状態で、前記ネジ部材を回転可能な状態と回転不能な状態に切り替えるように構成され、回転操作可能な操作ハンドルと、を備えたことを特徴とするプレスブレーキ用安全装置。
【請求項２】
各取付機構は、
前記サポート部材に設けられ、前記ネジ部材に連動連結された伝達軸を備え、
前記駆動軸は、前記伝達軸に接続可能になっていることを特徴とする請求項１に記載のプレスブレーキ用安全装置。
【請求項３】
各取付機構は、
前記サポート部材に固定された固定ロック部材と、
前記伝達軸にその軸方向へ移動可能かつ前記固定ロック部材に対向して設けられ、前記伝達軸の軸心周りに回転不能であって、前記固定ロック部材に接続可能な可動ロック部材と、
前記可動ロック部材を前記固定ロック部材側へ付勢する付勢部材と、を備え、
前記駆動軸は、前記可動ロック部材に接続可能になっていることを特徴とする請求項２に記載のプレスブレーキ用安全装置。
【請求項４】
前記駆動軸を前記可動ロック部材に接続した状態で、前記操作ハンドルを前記伝達軸側へ押圧すると、前記可動ロック部材と前記固定ロック部材の接続状態が遮断され、前記伝達軸及び前記ネジ部材を回転可能な状態に切り替わるようになっており、前記操作ハンドルに対する押圧状態を解除すると、前記可動ロック部材が前記付勢部材の付勢力によって前記固定ロック部材に接続し、前記伝達軸及び前記ネジ部材を回転不能な状態に切り替わるようになっていることを特徴とする請求項３に記載のプレスブレーキ用安全装置。
【請求項５】
前記駆動軸を前記伝達軸に接続した状態で、前記操作ハンドルを前記伝達軸側へ押圧すると、前記伝達軸及び前記ネジ部材が回転可能な状態に切り替わるようになっており、前記操作ハンドルに対する押圧状態を解除すると、前記伝達軸及び前記ネジ部材が回転不能な状態に切り替わるようになっていることを特徴とする請求項２に記載のプレスブレーキ用安全装置。
【請求項６】
前記操作ハンドルは、前記サポート部材に対して着脱可能になっていることを特徴とする請求項１から請求項５のうちのいずれか１項に記載のプレスブレーキ用安全装置。
【請求項７】
各取付機構は、
前記上部テーブルに対する前記投光器又は前記受光器の高さ位置を検出する高さ位置検出器と、
前記高さ位置検出器によって検出された前記投光器又は前記受光器の高さ位置を表示する表示器と、を備えたことを特徴とする請求項１から請求項６のうちのいずれか１項に記載のプレスブレーキ用安全装置。
【請求項８】
上部金型と下部金型の協働によってワークに対して曲げ加工を行うプレスブレーキにおいて、
請求項１から請求項７のうちいずれか１項に記載のプレスブレーキ用安全装置を具備したことを特徴とするプレスブレーキ。
【発明の詳細な説明】
【技術分野】
【０００１】
本発明は、プレスブレーキに用いられかつ上部金型（上型）と下部金型（下型）の間へのワーク以外の異物の進入又は接近を監視するためのプレスブレーキ用安全装置等に関する。
【背景技術】
【０００２】
近年、プレスブレーキについて種々の開発がなされており、プレスブレーキの一般的な構成について説明すると、次のようになる。
【０００３】
プレスブレーキは、本体フレームを具備しており、この本体フレームの下部には、下部テーブルが設けられており、この下部テーブルは、その上側（下部テーブルの上側）に、下部金型を着脱可能に保持するものである。また、本体フレームの上部には、上部テーブルが下部テーブルに上下に対向して設けられており、この上部テーブルは、下部テーブルに対して相対的に上下方向へ移動可能（昇降可能）であって、その下側（上部テーブルの下側）に、上部金型を着脱可能に保持するものである。
【０００４】
プレスブレーキは、上部金型と下部金型の間へのワーク以外の異物の進入又は接近を監視するためのプレスブレーキ用安全装置を具備している。また、プレスブレーキ用安全装置は、上部テーブルの幅方向の一方側から他方側に向かって監視光を投光する投光器と、投光器からの監視光を受光する受光器と、上部テーブルの幅方向の両側に配設可能（設置可能）であってかつ投光器又は受光器を上部テーブルに対して取付けるための取付機構とを具備している。そして、取付機構の具体的な構成は、次のようになる。
【０００５】
即ち、取付機構は、上部テーブルに配設可能であって（配設され）かつ水平方向へ突出した取付アームを備えている。また、取付アームの先端部には、上下方向へ延びた可動支持部材（サポート部材）が設けられており、この可動支持部材は、上下方向へ移動可能（位置調節可能）であって、その下側（可動支持部材の下側）に、投光器又は受光器を装着可能な装着部を有している。更に、可動支持部材の適宜位置には、回転操作可能なクランプレバーが設けられており、このクランプレバーは、回転操作によって可動支持部材を取付アームに対して固定するものである。
【０００６】
なお、本発明に関連する先行技術としては特許文献１から特許文献３に示すものがある。
【先行技術文献】
【特許文献】
【０００７】
【特許文献１】特開２００７−２０３３１０号公報
【特許文献２】特開２００７−１８１８７５号公報
【特許文献３】特開２００１−２５９７４４号公報
【発明の概要】
【発明が解決しようとする課題】
【０００８】
ところで、金型交換によって上部テーブルに対する上部金型（上部金型の下端）の高さ位置が変わった場合には、監視光による監視範囲（防護範囲）も変わることから、通常、上部テーブルに対する投光器及び受光器の高さ位置の調整、換言すれば、プレスブレーキ用安全装置の光軸調整（監視光の光軸の高さ調整）を行うことになる。また、プレスブレーキ用安全装置の光軸調整を行うには、片方の手で投光器又は受光器を支えながら所定の高さ位置まで移動させて、もう片方の手でクランプレバーを回転操作することが必要になる。そのため、プレスブレーキ用安全装置の光軸調整に多くの手間と時間を要し、プレスブレーキ用安全装置の光軸調整の作業性を向上させることが容易でないという問題がある。
【０００９】
そこで、本発明は、前述の問題を解決することができる、新規な構成のプレスブレーキ用安全装置等を提供することを目的する。
【課題を解決するための手段】
【００１０】
本発明の第１の特徴は、本体フレームの下部に設けられかつ上側に下部金型を保持する下部テーブルと、前記本体フレームの上部に前記下部テーブルに上下に対向して設けられかつ前記下部テーブルに対して相対的に上下方向へ移動可能であってかつ下側に上部金型を保持する上部テーブルとを備えたプレスブレーキに用いられ、前記上部金型と前記下部金型の間へのワーク以外の異物の進入又は接近を監視するためのプレスブレーキ用安全装置において、前記上部テーブルの幅方向の一方側から他方側に向かって監視光を投光する投光器と、前記投光器からの監視光を受光する受光器と、前記上部テーブルの前記幅方向の両側にそれぞれ配設可能（設置可能）であって、前記投光器又は前記受光器を前記上部テーブルに対して取付けるための取付機構と、を具備し、各取付機構は、前記上部テーブルに配設可能であって、上下方向へ延びたサポート部材と、前記サポート部材に上下方向へ移動可能（位置調節可能）に設けられ、前記投光器又は前記受光器を装着可能な装着部を有したスライド部材と、前記サポート部材に設けられ、上下方向へ延びたネジ部材と、前記ネジ部材に螺合して（螺合した状態で）設けられ、前記スライド部材に連結したナット部材と、前記ネジ部材に接続可能な駆動軸（接続軸）を有し、前記駆動軸を前記ネジ部材に接続した状態で、前記ネジ部材を回転可能な状態（フリー状態）と回転不能な状態（ロック状態）に切り替えるように構成され、回転操作可能な操作ハンドルと、を備えたことを要旨とする。
【００１１】
なお、本願の明細書及び特許請求の範囲の記載において、「設けられ」とは、直接的に設けられたことの他に、別部材を介して間接的に設けられたことを含む意であって、「配設可能」とは、直接的に配設可能（設置可能）であることの他に、別部材を介して間接的に配設可能（設置可能）であることを含む意である。また、「幅方向」とは、プレスブレーキの幅方向、換言すれば、上部テーブル又は下部テーブルの幅方向のことをいい、「異物」とは、作業者の一部分又は工場内の障害物等を含む意である。そして、「接続」とは、直接的に接続することの他に、間接的に接続することも含む意であって、「固定され」とは、直接的に固定されたことの他に、別部材を介して間接的に固定されたことを含む意である。
【００１２】
本発明の第１の特徴によると、前記プレスブレーキの運転中に、前記投光器によって前記上部テーブルの前記幅方向の一方側から他方側に向かって監視光が投光され、前記受光器によってその監視光が受光され、前記受光器の受光量を検出（監視）する。これにより、前記上部金型と前記下部金型の間への異物の進入又は接近を監視することができる。そして、仮に、前記投光器から投光された監視光が異物によって遮られて、前記受光器の受光量が低下すると、前記プレスブレーキの運転を停止する等の緊急措置を採ることになる。
【００１３】
金型交換（前記上部金型の交換）によって前記上部テーブルに対する前記上部金型（前記上部金型の下端）の高さ位置が変わった場合には、前記駆動軸を前記ネジ部材に接続した状態で、前記操作ハンドルによって前記ネジ部材を前記回転不能な状態から前記回転可能な状態に切り替える。そして、前記操作ハンドルの回転操作によって前記ネジ部材を回転させることにより、前記スライド部材を上下方向へ移動させて、前記投光器又は前記受光器を前記上部金型の高さ位置に応じた所定の高さ位置（前記上部テーブルに対する所定の高さ位置）に位置させる。更に、前記駆動軸を前記ネジ部材に接続した状態で、前記操作ハンドルによって前記ネジ部材を前記回転可能な状態から前記回転不能な状態に切り替えて、前記投光器又は前記受光器を所定の高さ位置に固定する。つまり、前述の動作によって、片方の手で前記投光器又は前記受光器を支えることなく、前記プレスブレーキ用安全装置の光軸調整（監視光の光軸の調整）を行うことができる。
【００１４】
本発明の第２の特徴は、上部金型（上型）と下部金型（下型）の協働によってワークに対して曲げ加工を行うプレスブレーキにおいて、本発明の第１の特徴からなるプレスブレーキ用安全装置を具備したことを要旨とする。
【００１５】
本発明の第２の特徴によると、本発明の第１の特徴による作用と同様の作用を奏する。
【発明の効果】
【００１６】
本発明によれば、片方の手で前記投光器又は前記受光器を支えることなく、前記プレスブレーキ用安全装置の光軸調整を行うことができるため、前記プレスブレーキ用安全装置の光軸調整の煩雑化を抑えて、前記プレスブレーキ用安全装置の光軸調整の作業性を向上させることができる。
【図面の簡単な説明】
【００１７】
【図１】図１は、図５における矢視部Iの拡大図である。
【図２】図２は、図６における矢視部IIの拡大図である。
【図３】図３（ａ）は、可動ロック部材が固定ロック部材に接続された様子を示す断面図、図３（ｂ）は、可動ロック部材と固定ロック部材の接続状態が解除され様子を示す断面図である。
【図４】図４（ａ）は、図３（ｂ）におけるIVA-IVA線に沿った拡大断面図、図４（ｂ）は、図３（ｂ）におけるIVB-IVB線に沿った拡大断面図である。
【図５】図５は、本発明の実施形態に係るプレスブレーキの正面図である。
【図６】図６は、本発明の実施形態に係るプレスブレーキの側面図である。
【発明を実施するための形態】
【００１８】
本発明の実施形態について図面を参照して説明する。なお、図面中、「ＦＦ」は、前方向、「ＦＲ」は、後方向、「Ｌ」は、左方向、「Ｒ」は、右方向、「Ｕ」は、上方向、「Ｄ」は、下方向をそれぞれ指している。
【００１９】
図５及び図６に示すように、本発明の実施形態に係るプレスブレーキ１は、上部金型（上型）３と下部金型（下型）５の協働によって板状のワーク（金属板）Ｗに対して曲げ加工を行うものであって、本体フレーム７をベースとして具備している。また、本体フレーム７は、幅方向（左右方向）に離隔対向した一対のサイドプレート９、及び一対のサイドプレート９を連結する複数の連結部材１１等をからなるものである。
【００２０】
本体フレーム７の下部には、幅方向へ延びた下部テーブル１３が設けられており、この下部テーブル１３は、その上側（下部テーブル１３の上側）に、下部金型５を下部金型ホルダ１５を介して着脱可能に保持するものである。また、本体フレーム７の上部には、幅方向へ延びた上部テーブル１７が下部テーブル１３に上下に対向して設けられており、上部テーブル１７は、上下方向へ移動可能（昇降可能）であって、その下側（上部テーブル１７の下側）に、上部金型３を複数の上部金型ホルダ１９を介して着脱可能に保持するものである。また、各サイドプレート９の上部には、上部テーブル１７を上下方向へ移動させる油圧シリンダ２１が設けられている。なお、上部テーブル１７を上下方向へ移動可能に構成する代わりに、下部テーブル１３を上下方向へ移動可能に構成しても構わない。
【００２１】
プレスブレーキ１は、上部金型３と下部金型５の間へのワークＷ以外の異物の進入又は接近を監視するためのプレスブレーキ用安全装置２３を装備している。また、プレスブレーキ用安全装置２３は、上部テーブル１７の幅方向の一方側（左方向）から他方側（右方向）に向かって監視光としてのレーザ光ＬＢを投光する投光器２５と、投光器２５からのレーザ光ＬＢを受光する受光器２７と、上部テーブル１７の幅方向の両側（左右両側）に配設可能（設置可能）であって投光器２５又は受光器２７を上部テーブル１７に対して取付けるための取付機構２９とを具備している。そして、本発明の実施形態に係る取付機構２９の構成の詳細は、以下のようになる。
【００２２】
図１及び図２に示すように、取付機構２９は、上部テーブル１７に配設可能であって（配設され）かつ水平方向へ突出した取付アーム３１を備えており、取付アーム３１の先端部には、上下方向へ延びたサポート部材３３が垂下して設けられている。換言すれば、取付機構２９は、上部テーブル１７に取付アーム３１を介して配設可能であってかつ上下方向へ延びたサポート部材３３を備えている。また、サポート部材３３の大部分は、箱形になっており、サポート部材３３は、プレスブレーキ１の側方（幅方向の一方側又は他方側）から見たときに、上部テーブル１７から外れた領域に位置するようになっている。更に、サポート部材３３の上部には、取付ブラケット（取付板）３５が形成されており、この取付ブラケット３５には、装着穴（取付穴）３７が貫通形成（貫通した状態で形成）されている。
【００２３】
サポート部材３３の前面には、上下方向へ延びた一対のガイド部材３９が設けられており、一対のガイド部材３９には、スライド部材４１が上下方向へ移動可能（位置調節可能）に設けられている。換言すれば、サポート部材３３には、スライド部材４１が一対のガイド部材３９を介して上下方向へ移動可能に設けられている。また、スライド部材４１は、投光器２５又は受光器２７を装着可能な装着部としての複数の装着具４３を有している。
【００２４】
サポート部材３３には、上下方向へ延びたボールネジ（ネジ部材の一例）４５が一対の軸受４７を介して設けられている。また、ボールネジ４５は、ボールネジ４５の軸心周りに回転可能な状態（フリー状態）と回転不能な状態（ロック状態）とに切替可能に構成されている。更に、ボールネジ４５には、ボールナット（ナット部材の一例）４９が螺合して（螺合した状態で）設けられており、このボールナット４９は、スライド部材４１に一体的に連結されている。
【００２５】
図１、図３（ａ）（ｂ）、及び図４（ａ）（ｂ）に示すように、サポート部材３３の上部には、水平方向へ延びた中空状の伝達軸５１が一対の軸受５３を介して設けられており、この伝達軸５１は、一対のかさ歯車５５を介してボールネジ４５に連動連結されている。また、伝達軸５１は、伝達軸５１の軸心周りに回転可能な状態（フリー状態）と回転不能な状態（ロック状態）とに切替可能になっている。更に、伝達軸５１の一端部には、その軸方向（伝達軸５１の軸方向）へ延びたスリット５７が形成されている。
【００２６】
サポート部材３３の一部である取付ブラケット３５には、環状の固定ロック部材（第１接続部材）５９が固定され（一体的に設けられ）ており、この固定ロック部材５９における伝達軸５１側の面には、複数の係合穴６１が円周方向（所定の円周方向）に沿って等間隔に形成されている。また、伝達軸５１の一端部には、固定ロック部材５９に接続可能な円形の可動ロック部材（第２接続部材）６３が伝達軸５１の軸方向へ移動可能かつ固定ロック部材５９に対向して設けられている。そして、可動ロック部材６３の一部は、伝達軸５１のスリット５７に挿通しており、可動ロック部材６３は、伝達軸５１の軸心周りに回転不能になっている。更に、可動ロック部材６３における固定ロック部材５９側の面には、対応する係合穴６１に係合可能な複数の係合突起６５が円周方向に沿って等間隔に形成されており、可動ロック部材６３の中央部には、６角形状の接続穴６７が貫通形成されている。
【００２７】
取付ブラケット３５と固定ロック部材５９との間には、環状のバネ座６９が設けられており、このバネ座６９は、その軸心（バネ座６９の軸心）周りに回転可能になっている。また、バネ座６９には、可動ロック部材６３を固定ロック部材５９側へ付勢するバネ（付勢部材の一例）７１の一端部が一体的に接合（連結）されており、このバネ７１の他端部は、可動ロック部材６３に一体的に接合（連結）されている。
【００２８】
取付ブラケット３５の装着穴３７には、回転操作可能な操作ハンドル７３が着脱可能に設けられており、この操作ハンドル７３は、先端部が６角形状を呈した駆動軸（接続軸）７５を有している。また、駆動軸７５の先端部は、可動ロック部材６３の接続穴６７に嵌合させることによって可動ロック部材６３に接続可能になっている。換言すれば、駆動軸７５の先端部は、可動ロック部材６３を介して伝達軸５１に接続可能になっており、可動ロック部材６３及び伝達軸５１を介してボールネジ４５に接続可能になっている。更に、操作ハンドル７３の駆動軸７５の中間部には、バネ座６９に接続可能な段差部７７が形成されている。
【００２９】
ここで、図１及び図２（ａ）（ｂ）に示すように、駆動軸７５の先端部を可動ロック部材６３に接続した状態で、操作ハンドル７３を伝達軸５１側へ押圧すると、可動ロック部材６３がバネ７１の付勢力に抗して固定ロック部材５９側の反対側へ移動して、各係合突起６５と対応する係合穴６１の係合状態が解除される。すると、可動ロック部材６３と固定ロック部材５９の接続状態が解除され、伝達軸５１及びボールネジ４５がそれぞれ回転可能な状態（フリー状態）になる。また、操作ハンドル７３に対する押圧状態を解除すると、可動ロック部材６３がバネ７１の付勢力によって固定ロック部材５９側へ移動して、各係合突起６５がバネ７１の付勢力によって対応する係合穴６１に係合する。すると、可動ロック部材６３がバネ７１の付勢力によって固定ロック部材５９に接続し、伝達軸５１及びボールネジ４５がそれぞれ回転不能な状態（ロック状態）になる。換言すれば、操作ハンドル７３は、駆動軸７５の先端部を可動ロック部材６３に接続した状態で、伝達軸５１及びボールネジ４５を回転可能な状態（フリーな状態）と回転不能な状態（ロック状態）とに切り替えるように構成されている。
【００３０】
図１及び図２に示すように、サポート部材３３の上部には、ボールネジ４５の回転数から上部テーブル１７に対する投光器２５又は受光器２７の高さ位置、換言すれば、レーザ光ＬＢの高さ位置を検出するエンコーダ（高さ位置検出器の一例）７９が内蔵されている。また、サポート部材３３の上部には、投光器２５又は受光器２７の高さ位置を表示する表示器８１が設けられており、サポート部材３３における表示器８１の近傍には、表示器８１に表示された値をリセットするためのリセットボタン８３が設けられている。
【００３１】
続いて、本発明の実施形態の作用及び効果について説明する。
【００３２】
ワークＷを前後方向（プレスブレーキ１の奥行方向）へ移動させて、下部金型５に対して位置決めする。そして、一対の油圧シリンダ２１の駆動により上部テーブル１７を下方向へ移動（下降）させる。これにより、上部金型３と下部金型５との協働により板状のワークＷに対して曲げ加工を行うことができる。
【００３３】
プレスブレーキ１の運転中に、投光器２５によって上部テーブル１７の幅方向の一方側（左方向）から他方側（右方向）に向かってレーザ光ＬＢが投光され、受光器２７によってそのレーザ光ＬＢが受光され、受光器２７の受光量を検出（監視）する。これにより、上部金型３と下部金型５の間への異物の進入又は接近を監視することができる。そして、仮に、投光器２５から投光されたレーザ光ＬＢが異物によって遮られて、受光器２７の受光量が低下すると、プレスブレーキ１の運転（上部テーブル１７の下方向の移動）を停止する等の緊急措置を採ることになる。
【００３４】
金型交換（上部金型３の交換）によって上部テーブルに対する上部金型３（上部金型３の下端）の高さ位置が変わった場合には、操作ハンドル７３をサポート部材３３の一部である取付ブラケット３５の装着穴３７に装着して、駆動軸７５の先端部を可動ロック部材６３に接続させる。次に、操作ハンドル７３を伝達軸５１側へ押圧することにより、可動ロック部材６３と固定ロック部材５９の接続状態が解除され、伝達軸５１及びボールネジ４５を回転不能な状態（ロック状態）から回転可能な状態（フリーな状態）に切り替える。そして、表示器８１に表示された投光器２５又は受光器２７の高さ位置を確認しながら、操作ハンドル７３の回転操作によって伝達軸５１及びボールネジ４５を回転させることにより、スライド部材４１を上下方向へ移動させて、投光器２５又は受光器２７を上部金型３の高さ位置に応じた所定の高さ位置（上部テーブル１７に対する所定の高さ位置）に位置させる。更に、駆動軸７５の先端部を可動ロック部材６３に接続した状態で、操作ハンドル７３に対する押圧状態を解除することにより、可動ロック部材６３がバネ７１の付勢力によって固定ロック部材５９に接続され、伝達軸５１及びボールネジ４５を回転可能な状態から回転不能な状態に切り替えて、投光器２５又は受光器２７を所定の高さ位置に固定する。つまり、前述の動作によって、片方の手で投光器２５又は受光器２７を支えることなく、プレスブレーキ用安全装置２３の光軸調整（レーザ光ＬＢの光軸の調整）を高精度に行うとができる。
【００３５】
プレスブレーキ用安全装置２３の光軸調整を行った後に、操作ハンドル７３を取付ブラケット３５の装着穴３７から取り外しておく。
【００３６】
従って、本発明の実施形態によれば、片方の手で投光器２５又は受光器２７を支えることなく、プレスブレーキ用安全装置２３の光軸調整を高精度に行うことができるため、プレスブレーキ用安全装置２３の光軸調整の煩雑化を抑えて、プレスブレーキ用安全装置２３の光軸調整の作業性を向上させることができる。特に、操作ハンドル７３の外径部分を大きくすることにより、てこの原理を有効に活用して、プレスブレーキ用安全装置２３の光軸調整の作業性をより向上させることができる。
【００３７】
プレスブレーキ用安全装置２３の光軸調整を行った後に、操作ハンドル７３を取付ブラケット３５の装着穴３７から取り外しておくことにより、プレスブレーキ１の運転中に、プレスブレーキ用安全装置２３と障害物等の干渉を十分に防止しつつ、プレスブレーキ１周辺のスペースの有効利用を図ることができる。
【００３８】
なお、本発明は、前述の実施形態の説明に限られるものではなく、適宜の変更を行うことにより、種々の態様で実施可能である。また、本発明に包含される権利範囲は、前述の実施形態に限定されないものである。
【符号の説明】
【００３９】
ＬＢ  レーザ光（監視光）
Ｗ  ワーク
１  プレスブレーキ
３  上部金型
５  下部金型
７  本体フレーム
９  サイドプレート
１３  下部テーブル
１５  下部金型ホルダ
１７  上部テーブル
１９  上部金型ホルダ
２１  油圧シリンダ
２３  プレスブレーキ用安全装置
２５  投光器
２７  受光器
２９  取付機構
３１  取付アーム
３３  サポート部材
３５  取付ブラケット
３７  装着穴
３９  ガイド部材
４１  スライド部材
４３  装着具（装着部）
４５  ボールネジ（ネジ部材）
４９  ボールナット（ナット部材）
５１  伝達軸
５７  スリット
５９  固定ロック部材
６１  係合穴
６３  可動ロック部材
６５  係合突起
６７  接続穴
６９  バネ座
７１  バネ（付勢部材）
７３  操作ハンドル
７５  駆動軸
７７  段差部
７９  エンコーダ（高さ位置検出器）
８１  表示器
８３  リセットボタン
【図１】
2016128180.tif 000003
【図２】
2016128180.tif 000004
【図３】
2016128180.tif 000005
【図４】
2016128180.tif 000006
【図５】
2016128180.tif 000007
【図６】
2016128180.tif 000008